(57)【要約】【課題】確認画面等を表示してユーザーから送信宛先が正しいか否かの指示を受け付けなくとも、誤って入力された送信宛先にデータを送信するおそれを低減することができる通信装置を提供する。【解決手段】通信装置は、通信部と、通信制御部と、送信宛先情報記憶部と、画像情報記憶部と、受付部と、判定部と、を備える。通信制御部は、判定部が送信対象のデータに示される画像に画像情報記憶部に記憶されている画像データに示される画像が含まれていると判定した場合に、画像情報記憶部および送信宛先情報記憶部に記憶されている画像データに関する情報と送信宛先に関する情報とが一致するか否かに基づいて、通信部に送信対象のデータを送信指示に示される送信宛先へ送信させるか否かを決定する。【選択図】図８
2015226134.tif 000002
【特許請求の範囲】
【請求項１】
他の機器との間で通信を行う通信部と、
前記通信部の通信動作を制御する通信制御部と、
送信宛先および当該送信宛先に関する情報を記憶する送信宛先情報記憶部と、
画像データおよび当該画像データに関する情報を記憶する画像情報記憶部と、
前記送信宛先情報記憶部に記憶されている送信宛先のうち指定された送信宛先へのデータの送信指示を受け付ける受付部と、
前記受付部が受け付けた送信指示による送信対象のデータに示される画像に、前記画像情報記憶部に記憶されている画像データに示される画像が含まれているか否かを判定する判定部と、を備え、
前記通信制御部は、前記判定部が前記送信対象のデータに示される画像に前記画像情報記憶部に記憶されている画像データに示される画像が含まれていると判定した場合に、当該含まれていると判定された画像データに関する情報を前記画像情報記憶部から取得し、前記送信指示に示される送信宛先に関する情報を前記送信宛先情報記憶部から取得し、当該取得した画像データに関する情報と送信宛先に関する情報とが一致するか否かに基づいて、前記通信部に前記送信対象のデータを前記送信指示に示される送信宛先へ送信させるか否かを決定する、通信装置。
【請求項２】
前記送信宛先情報記憶部は、前記送信宛先が所属する組織名を前記送信宛先に関する情報として記憶し、
前記画像情報記憶部は、前記画像データが表す組織名を前記画像データに関する情報として記憶し、
前記通信制御部は、前記送信宛先情報記憶部に記憶されている前記送信宛先が所属する組織名と前記画像情報記憶部に記憶されている前記画像データが表す組織名とが一致する場合に、前記通信部に前記送信対象のデータを前記送信宛先へ送信させ、前記送信宛先情報記憶部に記憶されている前記送信宛先が所属する組織名と前記画像情報記憶部に記憶されている前記画像データが表す組織名とが一致しない場合に、前記通信部に前記送信対象のデータを前記送信宛先へ送信させない、請求項１に記載の通信装置。
【請求項３】
前記通信制御部は、前記通信部に前記送信宛先の機器との間で通信を行わせて当該機器が位置する位置情報を取得させ、前記画像データに関する情報と前記送信宛先に関する情報とに加えて前記位置情報を用いて、前記通信部に前記送信対象のデータを前記送信宛先へ送信させるか否かを決定する、請求項１または請求項２に記載の通信装置。
【請求項４】
前記画像情報記憶部は、前記画像データが表す組織名を前記画像データに関する情報として記憶し、
前記通信制御部は、前記位置情報を用いて前記送信宛先の機器が前記組織名に示される組織の敷地内にあるか否かを判定し、前記送信宛先の機器が前記組織の敷地内にあると判定した場合に前記通信部に前記送信対象のデータを前記送信宛先へ送信させ、前記送信宛先の機器が前記組織の敷地内にないと判定した場合に前記通信部に前記送信対象のデータを前記送信宛先へ送信させない、請求項３に記載の通信装置。
【請求項５】
表示部および当該表示部の表示動作を制御する表示制御部を更に備え、
前記表示制御部は、前記送信宛先情報記憶部に記憶されている前記送信宛先が所属する組織名と前記画像情報記憶部に記憶されている前記画像データが表す組織名とが一致しない場合に、前記送信宛先へのデータの送信を中止したことを報知する報知画面、および、前記送信宛先へデータを再送信するか否かの指示を受け付けるための受付画面を前記表示部に表示させ、
前記通信制御部は、前記受付部が前記送信宛先へデータを再送信する指示を受け付けた場合に、前記通信部に前記送信宛先へデータを再送信させる、請求項１乃至請求項４の何れか１項に記載の通信装置。
【請求項６】
画像データを取得する画像データ取得部を更に備え、
前記受付部は、前記画像データ取得部が取得した画像データにおいて一部の範囲の指定を受け付けるとともに、当該指定された範囲からなる画像データに関する情報を受け付け、
前記画像情報記憶部は、前記画像情報受付部により受け付けられた画像データおよび画像データに関する情報を記憶する、請求項１乃至請求項５の何れか１項に記載の通信装置。
【発明の詳細な説明】
【技術分野】
【０００１】
本発明は通信装置に関し、特に誤って入力された送信宛先にデータを送信することを防止する技術に関する。
【背景技術】
【０００２】
ファクシミリ装置、スマートフォン、タブレット端末等の通信装置において、ユーザーにより誤った送信宛先が入力されたためにデータが誤送信される場合がある。このような送信宛先の入力間違いによる誤送信を防止するために、誤送信防止機能が搭載された通信装置が登場している（特許文献１参照）。誤送信防止機能としては、例えば、ユーザーからのデータの送信指示を受け付けた際に、データを送信する前に送信宛先が正しいか否かをユーザーに確認させるための確認画面の表示する技術が知られている。
【先行技術文献】
【特許文献】
【０００３】
【特許文献１】特開２０００−１８４００７号公報
【発明の概要】
【発明が解決しようとする課題】
【０００４】
しかしながら、上記のようにデータを送信する前に送信宛先が正しいか否かをユーザーに確認させるための確認画面を表示した場合であっても、ユーザーにより送信宛先の確認が正しく行われない場合には、データが誤送信されるおそれがある。また、ユーザーがデータの送信の前に確認画面を見て送信宛先が正しいか否かを入力するという作業が新たに必要となる。
【０００５】
本発明は上記の事情に鑑みなされたものであり、確認画面等を表示してユーザーから送信宛先が正しいか否かの指示を受け付けなくとも、誤って入力された送信宛先にデータを送信するおそれを低減することができる通信装置を提供することを目的とする。
【課題を解決するための手段】
【０００６】
本発明の一局面にかかる通信装置は、他の機器との間で通信を行う通信部と、前記通信部の通信動作を制御する通信制御部と、送信宛先および当該送信宛先に関する情報を記憶する送信宛先情報記憶部と、画像データおよび当該画像データに関する情報を記憶する画像情報記憶部と、前記送信宛先情報記憶部に記憶されている送信宛先のうち指定された送信宛先へのデータの送信指示を受け付ける受付部と、前記受付部が受け付けた送信指示による送信対象のデータに示される画像に、前記画像情報記憶部に記憶されている画像データに示される画像が含まれているか否かを判定する判定部と、を備え、前記通信制御部は、前記判定部が前記送信対象のデータに示される画像に前記画像情報記憶部に記憶されている画像データに示される画像が含まれていると判定した場合に、当該含まれていると判定された画像データに関する情報を前記画像情報記憶部から取得し、前記送信指示に示される送信宛先に関する情報を前記送信宛先情報記憶部から取得し、当該取得した画像データに関する情報と送信宛先に関する情報とが一致するか否かに基づいて、前記通信部に前記送信対象のデータを前記送信指示に示される送信宛先へ送信させるか否かを決定する、通信装置である。
【発明の効果】
【０００７】
上記の本発明の一局面にかかる通信装置によれば、確認画面等を表示してユーザーから送信宛先が正しいか否かの指示を受け付けなくとも、誤って入力された送信宛先にデータを送信するおそれを低減することができる。
【図面の簡単な説明】
【０００８】
【図１】本発明の一実施形態にかかる通信装置の一例としての画像形成装置の外観を示す斜視図である。
【図２】本発明の一実施形態にかかる通信装置の一例としての画像形成装置の内部構成を示すブロック図である。
【図３】本発明の一実施形態にかかる通信装置の一例としての画像形成装置の表示部および操作部の外観を示す正面図である。
【図４】本発明の一実施形態にかかる通信装置の一例としての画像形成装置の送信宛先情報記憶部として機能する記憶部に記憶される情報の内容の一例を示す図である。
【図５】本発明の一実施形態にかかる通信装置の一例としての画像形成装置の画像情報記憶部として機能する記憶部に記憶される情報の内容の一例を示す図である。
【図６】本発明の一実施形態にかかる通信装置の一例としての画像形成装置の記憶部に記憶される画像データおよび当該画像データに関する情報を受け付ける際の動作の流れを示すフローチャートである。
【図７】画像データにおいて一部の範囲の指定を受け付ける処理の一例を示す図である。
【図８】本発明の一実施形態にかかる通信装置の一例としての画像形成装置においてファクシミリ通信やメール通信等によりデータを送信する際の動作の流れを示すフローチャートである。
【図９】送信対象のデータの一例を示す図である。
【図１０】本発明の一実施形態にかかる通信装置の一例としての画像形成装置の表示部に表示されている画像の一例を示す図である。
【図１１】本発明の変形例にかかる通信装置の一例としての画像形成装置の動作の流れを示すフローチャートである。
【発明を実施するための形態】
【０００９】
以下、本発明の一実施形態にかかる通信装置の一例としての画像形成装置について図面を参照して説明する。図１は、本発明の一実施形態にかかる画像形成装置の外観を示す斜視図である。図２は、本発明の一実施形態にかかる画像形成装置の内部構成を示すブロック図である。
【００１０】
画像形成装置１は、ファクシミリ通信機能、メール通信機能、コピー機能、プリンター機能、およびスキャナー機能等の複数の機能を兼ね備えた複合機である。図１に示すように、画像形成装置１は、装置本体２と、装置本体２の上方に配置された画像読取部１０と、画像読取部１０と装置本体２との間に設けられた連結部３とから概略構成される。
【００１１】
画像読取部１０は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像読取部１０は、ファクシミリ通信機能やメール通信機能等による送信対象の原稿を１枚ずつ読み取ることで、送信対象となるデータを取得する。また、画像読取部１０は、後述する記憶部６０に記憶される特定のロゴやアイコン等の画像を取得する画像データ取得部としても機能する。
【００１２】
画像メモリー２０は、画像読取部１０によって読み取られ、ファクシミリ送信やメール送信による送信対象となるデータを一時的に記憶する領域である。また、画像メモリー２０は、他の機器（ファクシミリ装置やＰＣ等）からファクシミリ通信やメール通信等により送信され、後述するファクシミリ通信部７０や通信インターフェイス８０を介して受信されたデータを一時的に記憶する領域としても機能する。
【００１３】
画像形成部３０は、画像メモリー２０に記憶されているデータを読み出し、当該データを用いて給紙部４から供給される用紙に画像を形成（印刷）する。印刷済みの用紙は、排出トレイ５に排出される。
【００１４】
表示部４０は、画像形成装置１の前面側に配置され、液晶ディスプレイ（ＬＣＤ：Liquid Crystal Display）や有機ＥＬ（ＯＬＥＤ：Organic Light-Emitting Diode）ディスプレイを含んで構成される。図３に示すように、表示部４０には、ファクシミリ送受信やメール送受信等のデータの送受信に関する設定を受け付けるための設定画面等が表示される。
【００１５】
操作部５０は、例えば、ファクシミリ送信やメール送信の開始や原稿の読み取りの開始を指示するためのスタートキー、メニュー画面を構成するＧＵＩに対して確定操作を行う決定キー（エンターキー）、数値入力を行うための数値入力キー等を備え、表示部４０に表示されるメニュー画面に対する操作をユーザーから受け付ける。
【００１６】
記憶部６０は、ＨＤＤ（Hard Disk Drive）等の大容量の記憶装置である。詳細は後述するが、記憶部６０は、ファクシミリ送信やメール送信における送信宛先および当該送信宛先に関する情報を記憶する送信宛先情報記憶部と、特定のロゴやアイコン等の画像データおよび当該画像データに関する情報を記憶する画像情報記憶部として機能する。
【００１７】
ファクシミリ通信部７０は、不図示の符号化／復号化部、変復調部、およびＮＣＵ（Network Control Unit）等を備える。画像形成装置１は、ＰＳＴＮ（Public Switched Telephone Networks：公衆回線網）を介して、他の機器と接続されている。ファクシミリ通信部７０は、後述する制御ユニット１００の通信制御部１０２による制御の下、他の機器との間でＰＳＴＮを用いたファクシミリ送信およびファクシミリ受信を行う。
【００１８】
通信インターフェイス８０は、不図示のＬＡＮチップ等の通信モジュールを備え、後述する制御ユニット１００の通信制御部１０２による制御の下、インターネット網を用いたメール送信およびメール受信を行う。
【００１９】
画像形成装置１は、更に、制御ユニット１００を備えている。制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部６０に記憶された通信制御プログラム等の制御プログラムが上記のＣＰＵに実行されることにより、制御部１０１、通信制御部１０２、受付部１０３、判定部１０４、および表示制御部１０５として機能する。なお、制御ユニット１００の制御部１０１、通信制御部１０２、受付部１０３、判定部１０４、および表示制御部１０５は、前述の通信制御プログラムに基づく動作によらず、それぞれハード回路により構成されてもよい。
【００２０】
制御部１０１は、画像形成装置１の全体的な動作制御を司る。制御部１０１は、画像読取部１０、画像メモリー２０、画像形成部３０、表示部４０、操作部５０、記憶部６０、ファクシミリ通信部７０、および通信インターフェイス８０等と接続されており、接続されている上記各機構の動作制御や、各機構との間での信号又はデータの送受信を行う。
【００２１】
通信制御部１０２は、ファクシミリ通信部７０を介して、予め定められたファクシミリ通信プロトコルでの通信信号を用いたファクシミリ通信によるデータの送受信を制御する機能を有する。また、通信制御部１０２は、通信インターフェイス８０を介して、メール通信によるデータの送受信を制御する機能を有する。
【００２２】
また、通信制御部１０２は、画像形成装置１の動作モードが送信宛先確認モードである場合に、ユーザーから送信宛先の入力を受け付けて、当該受け付けた送信宛先へファクシミリ送信やメール送信によりデータを送信する際に、送信宛先情報記憶部および画像情報記憶部として機能する記憶部６０に記憶される情報を用いて、ユーザーにより入力された送信宛先が正しいものであるか否かを判定する。画像形成装置１は、複数の機能を兼ね備えた複合機であり、ファクシミリ通信を行うファクシミリ通信モード、メール通信を行うメール通信モード、画像を形成する画像形成モード等の様々な動作モードを有している。送信宛先確認モードとは、送信宛先が正しいものであるか否かを判定する動作モードである。受付部１０３が操作部５０等を用いたユーザー操作に基づき送信宛先確認モードに遷移すべき指示を受け付けた場合に、制御部１０１より画像形成装置１の動作モードが送信宛先確認モードに切り替えられる。
【００２３】
受付部１０３は、表示部４０に表示された設定画面等に基づいて操作部５０等を用いて入力されるユーザー操作に応じて、ファクシミリ通信やメール通信に関する指示等を受け付ける機能を有する。受付部１０３は、例えば、送信宛先情報記憶部としての記憶部６０に記憶されている送信宛先のうち指定された送信宛先へのデータの送信指示をユーザー操作に応じて受け付ける。
【００２４】
判定部１０４は、パターンマッチング等の画像処理により、受付部１０３が受け付けた送信指示による送信対象のデータに示される画像に、画像情報記憶部としての記憶部６０に記憶されている特定のロゴやアイコン等の画像データに示される画像が含まれているか否かを判定する。
【００２５】
表示制御部１０５は、表示部４０の表示動作を制御する機能を有する。表示制御部１０５は、例えば、表示部４０にファクシミリ送受信やメール送受信等のデータの送受信に関する設定を受け付けるための設定画面等を表示させる。
【００２６】
続いて、送信宛先情報記憶部および画像情報記憶部として機能する記憶部６０に記憶される情報の内容について説明する。
【００２７】
図４は、送信宛先情報記憶部として機能する記憶部６０に記憶される情報の内容の一例を示す図である。本図に示す例では、記憶部６０には、ファクシミリ送信における送信宛先としてファクシミリ番号が記憶され、メール送信における送信先としてメールアドレスが記憶されている。また、記憶部６０には、上記の送信宛先に加えて、送信宛先に関する情報として送信宛先が所属する組織名や送信宛先の人物名等からなる付随情報が記憶されている。図４に示す例では、例えば、ファクシミリ番号「０６６−○○○」メールアドレス「ＡＡＡ＠ＢＢＢ．ｃｏｍ」の送信宛先（管理番号１）に関する情報として、「□□□株式会社」「◇◇◇課」の組織名が記憶されている。
【００２８】
図５は、画像情報記憶部として機能する記憶部６０に記憶される情報の内容の一例を示す図である。本図に示す例では、記憶部６０には、特定のロゴやアイコン等の画像データが記憶されている。なお、図形等を含まず文字コードおよびフォント名や文字間等の書式情報から特定できるロゴやアイコン等（図５に示す例では○○○株式会社のロゴおよび△△△病院のロゴが相当）は、当該ロゴやアイコン等を画像データとして記憶部６０に記憶させるのではなく、その代わりに文字コードおよびフォント名や文字間等の書式情報を記憶部６０に記憶させてもよい。また、ロゴやアイコン等の画像データとともに、文字コードおよびフォント名や文字間等の書式情報を記憶部６０に記憶させてもよい。
【００２９】
また、記憶部６０には、上記の特定のロゴやアイコン等の画像データに加えて、当該画像データに関する情報として画像データが表す組織名や名称等からなる付随情報が記憶されている。図５に示す例では、例えば、管理番号１のアイコンに関する情報として、「□□□株式会社」「◇◇◇課」の組織名が記憶されている。
【００３０】
なお、記憶部６０に記憶される上記の送信宛先および当該送信宛先に関する情報と、上記の画像データおよび当該画像データに関する情報とは、ユーザーによりファクシミリ通信やメール通信による送信指示が入力される前に、予めユーザーにより入力される。
【００３１】
次に、画像形成装置１の具体的な動作の流れについて説明する。図６は、記憶部６０に記憶される画像データおよび当該画像データに関する情報を受け付ける際の画像形成装置１の動作の流れを示すフローチャートである。
【００３２】
画像形成装置１の制御部１０１は、画像形成装置１の動作モードが画像情報登録モードであるか否かを判定する（ステップＳ１０）。画像情報登録モードとは、画像情報の入力を受け付ける動作モードであり、制御部１０１は、受付部１０３が操作部５０等を用いたユーザー操作に基づき画像情報登録モードに遷移すべき指示を受け付けた場合に、画像形成装置１の動作モードを画像情報登録モードに切り替える。
【００３３】
画像形成装置１の動作モードが画像情報登録モードである場合（ステップＳ１０においてＹＥＳ）、制御部１０１は、画像データ取得部として画像データを取得する（ステップＳ１１）。例えば、制御部１０１は、画像読取部１０を制御して原稿搬送部６により搬送されてくる原稿を読み取らせることで、画像データを取得する。また、制御部１０１は、ファクシミリ通信部７０や通信インターフェイス８０を介して受信されたデータを画像データとして取得してもよい。
【００３４】
その後、受付部１０３は、ステップＳ１１の処理で取得された画像データにおいて一部の範囲の指定を受け付ける（ステップＳ１２）。図７は、ステップＳ１１の処理で取得された画像データにおいて一部の範囲の指定を受け付ける処理の一例を示す図である。本図に示す例では、様々なロゴ、アイコン、文字列等を含む画像データＤ１が制御部１０１により取得されている。そして、受付部１０３により、タッチパネル機能や操作部５０等を用いたユーザー操作に基づき、画像データＤ１の一部の範囲であるアイコンＡ１やロゴＡ２の指定を受け付けている。指定されたアイコンＡ１やロゴＡ２は抽出され、記憶部６０に画像データとして記憶される。
【００３５】
ステップＳ１２の処理後、受付部１０３は、ステップＳ１２の処理において指定された範囲からなる画像データに関する情報（付随情報）を受け付ける（ステップＳ１３）。
【００３６】
その後、制御部１０１は、受付部１０３がステップＳ１２およびステップＳ１３の処理において受け付けた画像データおよび当該画像データに関する情報を記憶部６０に記憶させる（ステップＳ１４）。
【００３７】
図８は、ファクシミリ通信やメール通信等によりデータを送信する際の画像形成装置１の動作の流れを示すフローチャートである。
【００３８】
画像形成装置１の受付部１０３は、ファクシミリ通信やメール通信等によりデータを送信する送信指示を受け付けたか否かを判定する（ステップＳ２０）。
【００３９】
送信指示を受け付けた場合（ステップＳ２０においてＹＥＳ）、通信制御部１０２は、画像形成装置１の動作モードが送信宛先確認モードであるか否かを判定する（ステップＳ２１）。
【００４０】
画像形成装置１の動作モードが送信宛先確認モードでない場合（ステップＳ２１においてＮＯ）、通信制御部１０２は、ステップＳ２０の処理で受け付けた送信指示に示される送信宛先に送信対象のデータをファクシミリ通信部７０や通信インターフェイス８０に送信させる（ステップＳ２８）。
【００４１】
画像形成装置１の動作モードが送信宛先確認モードである場合（ステップＳ２１においてＹＥＳ）、判定部１０４は、送信対象のデータが記憶部６０に記憶されている画像データに示される画像を含むか否かを判定する（ステップＳ２３）。
【００４２】
送信対象のデータが記憶部６０に記憶されている画像データに示される画像を含まない場合（ステップＳ２３においてＮＯ）、通信制御部１０２は、ステップＳ２８の処理において送信対象のデータを送信させる。
【００４３】
送信対象のデータが記憶部６０に記憶されている画像データに示される画像を含まない場合（ステップＳ２３においてＮＯ）、通信制御部１０２は、記憶部６０に記憶されている画像データに関する情報と送信宛先に関する情報が一致するか否かを判定する（ステップＳ２４）。
【００４４】
画像データに関する情報と送信宛先に関する情報が一致する場合（ステップＳ２４においてＹＥＳ）、通信制御部１０２は、ユーザーにより入力された送信宛先が正しいものであるとして、送信対象のデータを送信指示に示される送信宛先へ送信させることを決定する。すなわち、通信制御部１０２は、ステップＳ２８の処理において送信対象のデータを送信させる。
【００４５】
一方、画像データに関する情報と送信宛先に関する情報が一致しない場合（ステップＳ２４においてＮＯ）、通信制御部１０２は、ユーザーにより入力された送信宛先が誤っている可能性があるとして、送信対象のデータを送信指示に示される送信宛先へ送信させないことを決定し、送信対象のデータの送信を中止する（ステップＳ２５）。
【００４６】
図９に示す送信対象のデータの一例を用いて、ステップＳ２３およびステップＳ２４における処理について具体的に説明する。送信対象のデータＤ２には、複数のアイコン、文字列等が含まれている。判定部１０４は、パターンマッチング等の画像処理により、送信対象のデータＤ２に記憶部６０に記憶されている特定のロゴやアイコン等の画像データに示される画像が含まれているか否かを判定する。ここでは、送信対象のデータＤ２に含まれるアイコンＡ２が、管理番号１の画像データとして記憶部６０に記憶されている（図５参照）。その後、通信制御部１０２は、記憶部６０に記憶されている画像データに関する情報と送信宛先に関する情報が一致するか否かを判定する。例えば、受付部１０３が受け付けた送信指示に示される送信宛先が図４に示す管理番号１の送信宛先である場合、記憶部６０に記憶されている画像データに関する情報と送信宛先に関する情報とが共に「□□□株式会社」「◇◇◇課」であり一致する。この場合、通信制御部１０２は、ユーザーにより入力された送信宛先が正しいものであるとして、送信対象のデータを送信指示に示される送信宛先へ送信させることを決定する。一方、受付部１０３が受け付けた送信指示に示される送信宛先が図４に示す管理番号４の送信宛先である場合、記憶部６０に記憶されている画像データに関する情報と送信宛先に関する情報とが共に一致しない。この場合、通信制御部１０２は、ユーザーにより入力された送信宛先が誤っている可能性があるとして、送信対象のデータを送信指示に示される送信宛先へ送信させないことを決定する。これにより、誤って入力された送信宛先にデータを送信するおそれを低減することができる。
【００４７】
図８に戻って、ステップＳ２５の処理後、表示制御部１０５は、送信指示に示される送信宛先へのデータの送信を中止したことを報知する報知画面、および、送信宛先へデータを再送信するか否かの指示を受け付けるための受付画面を表示部４０に表示させる（ステップＳ２６）。図１０に示す例では、表示部４０に表示されている画像Ｄ３が、上記の報知画面および受付画面としての役割を果たす。
【００４８】
その後、受付部１０３は、送信対象のデータの再送信指示を受け付けたか否かを判定する（ステップＳ２７）。図１０に示す例では、画像Ｄ３に設けられたボタンｄ１がタッチパネル機能や操作部５０等を用いてユーザーにより選択された場合に、受付部１０３は送信対象のデータの再送信指示を受け付ける。一方、画像Ｄ３に設けられたボタンｄ２が選択された場合に、受付部１０３は送信対象のデータの再送信中止指示を受け付ける。
【００４９】
送信対象のデータの再送信指示を受け付けた場合（ステップＳ２７においてＹＥＳ）、通信制御部１０２は、ステップＳ２８の処理において送信対象のデータを送信させる。
【００５０】
なお、本発明は、上記の実施の形態の構成に限られず種々の変形が可能である。
【００５１】
図１１は、本発明の変形例にかかる画像形成装置１の動作の流れを示すフローチャートである。なお、図８のフローチャートに示す処理と同内容の処理については説明を省略する。
【００５２】
記憶部６０に記憶される画像データに関する情報と送信宛先に関する情報が一致する場合（ステップＳ３３においてＹＥＳ）、通信制御部１０２は、ファクシミリ通信部７０や通信インターフェイス８０に送信宛先の機器との間で通信を行わせて当該機器が位置する位置情報を取得させる（ステップＳ３４）。例えば、送信宛先の機器がＧＰＳ（Global Positioning System）機能を有している場合、通信制御部１０２は、当該ＧＰＳ機能を用いて得られる緯度経度情報を取得する。また、通信制御部１０２は、送信宛先の機器のＩＰアドレスを取得して、当該取得したＩＰアドレスを用いて送信宛先の機器の位置を特定してもよい。ＩＰアドレスを用いて機器の位置を特定する技術については公知の技術であるため説明を略する。
【００５３】
位置情報の取得後、通信制御部１０２は、送信宛先の機器が記憶部６０に画像データに関する情報として記憶されている組織の敷地内に位置するか否かを判定する（ステップＳ３５）。例えば、記憶部６０に、画像データに関する情報として組織名に加えて当該組織の位置情報が記憶されている場合には、当該記憶されている組織の位置情報とステップＳ３４の処理において取得した機器の位置情報とを用いて、送信宛先の機器が組織の敷地内に位置するか否かを判定する。また、通信制御部１０２は、記憶部６０に記憶されている組織名に対応する位置情報をファクシミリ通信部７０や通信インターフェイス８０を介して、ネットワーク上から取得してもよい。
【００５４】
送信宛先の機器が記憶部６０に記憶されている組織の敷地内に位置する場合（ステップＳ３５においてＹＥＳ）、通信制御部１０２は、ステップＳ３０の処理で受け付けた送信指示に示される送信宛先に送信対象のデータをファクシミリ通信部７０や通信インターフェイス８０に送信させる（ステップＳ３９）。
【００５５】
一方、送信宛先の機器が記憶部６０に記憶されている組織の敷地内に位置しない場合（ステップＳ３５においてＮＯ）、送信対象のデータを送信指示に示される送信宛先へ送信させないことを決定し、送信対象のデータの送信を中止する（ステップＳ３６）。
【００５６】
以上のように変形例にかかる画像形成装置１では、記憶部６０に記憶されている画像データに関する情報および送信宛先に関する情報に加えて、ユーザーが入力した送信宛先の機器の位置情報を用いて送信対象のデータの送信を行うか否かを決定しているため、ユーザーにより誤った送信宛先が入力されたためにデータが誤送信されるおそれをより低減することができる。
【００５７】
なお、上記の実施の形態では、通信装置の一例として画像形成装置を示したが本発明は必ずしもこの場合に限定されない。本発明の一実施形態にかかる通信装置は、画像形成装置の他に、例えば、タブレット端末やスマートフォン等の携帯端末、パーソナルコンピューター、テレビ等に適応することができる。
【００５８】
また、上記実施の形態で説明した通信制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該送信制御プログラムを記録したコンピューター読み取り可能な非一時的な記録媒体が、本発明の一実施形態となる。
【符号の説明】
【００５９】
１      画像形成装置
４０    表示部
５０    操作部
６０    記憶部
７０    ファクシミリ通信部
８０    通信インターフェイス
１００  制御ユニット
１０１  制御部
１０２  通信制御部
１０３  受付部
１０４  判定部
１０５  表示制御部
【図１】
2015226134.tif 000003
【図２】
2015226134.tif 000004
【図３】
2015226134.tif 000005
【図４】
2015226134.tif 000006
【図５】
2015226134.tif 000007
【図６】
2015226134.tif 000008
【図７】
2015226134.tif 000009
【図８】
2015226134.tif 000010
【図９】
2015226134.tif 000011
【図１０】
2015226134.tif 000012
【図１１】
2015226134.tif 000013